(57)【特許請求の範囲】
【請求項１】
扁平な長方形板状をした筐体の厚さ方向の一方の面である前面に設けられた表示面と、
前記筐体の厚さ方向の他方の面である後面に該後面よりも小さい輪郭で突出され、その側面に記録媒体が装脱される記録媒体用コネクタが設けられた収容部と、
前記記録媒体に記録された画像データを読み出し、前記表示面に表示するように制御する表示制御部と、
前記筐体の前記後面に設けられ、直線状に延在するロッドからなるスタンドと、
前記ロッドと前記筐体の前記後面の箇所とを連結し、かつ、前記ロッドが前記後面上に倒伏する倒伏位置と、前記ロッドが前記後面から起立する起立位置との間で前記ロッドを揺動可能に支持する連結機構とを備え、
前記ロッドは前記記録媒体用コネクタが設けられた前記側面とは異なる前記収容部の側面に近接した位置に設けられ、かつ、前記倒伏位置における前記ロッドは、前記収容部の後面よりも前方に位置する
ことを特徴とする画像表示装置。
【請求項２】
前記ロッドを前記起立位置に位置させ前記筐体の２つの長辺のうちの１つの長辺と前記ロッドの延在方向の他端である先端とを載置面に載置することで前記筐体が前記載置面に対して第１の角度をなして起立した第１の姿勢が形成され、
前記ロッドを前記起立位置に位置させて前記筐体の２つの短辺のうちの１つの短辺と前記ロッドの先端とを前記載置面に載置することで前記筐体が前記載置面に対して第２の角度をなして起立した第２の姿勢が形成される
ことを特徴とする請求項１に記載の画像表示装置。
【請求項３】
前記連結機構は前記ロッドの基端に係合し前記ロッドを前記倒伏位置と前記起立位置とに案内するカム溝を有し、
前記カム溝は、第１の溝部と、前記第１の溝部に交差する第２の溝部とを有し、
前記第１の溝部の延在方向の他端に、前記ロッドの基端が係合することで前記ロッドが前記倒伏位置となる倒伏位置用係合凹部が設けられ、
前記第２の溝部の前記第１の溝部から離れた側の端部に、前記ロッドの基端が係合することで前記ロッドが前記起立位置となる起立位置用係合凹部が設けられ、
前記第２の溝部は、前記第１の溝部の延在方向の一端に接続され、前記一端から前記第１の溝部の延在方向に対して鋭角をもって交差する方向に前記第１の溝部の延在長さよりも短い長さで延在し、これにより前記カム溝はＬ字状に形成されている
ことを特徴とする請求項１記載の画像表示装置。
【請求項４】
前記収容部の側面は、前記後面から起立し前記筐体の２つの長辺および２つの短辺のうちの１つの辺に平行しつつ延在位置している
ことを特徴とする請求項１記載の画像表示装置。
【請求項５】
前記ロッドの延在方向の一端である基端に球状の球体部が設けられ、
前記ロッドと離れた前記球体部の箇所に前記ロッドの軸心の延長上で出没可能で常時突出する方向に付勢されたカムピンが設けられ、
前記後面に、該後面から後方に膨出しその内部に前記球体部が抜落不能に係合される球状空間を有する膨出壁部が設けられ、
前記球状空間を形成する壁面に、前記倒伏位置で前記カムピンが係合する倒伏位置用係合凹部と、前記起立位置で前記カムピンが係合する起立位置用係合凹部とが設けられ、
さらに、前記球状空間を形成する壁面に、それら倒伏位置用係合凹部、起立位置用係合凹部よりも浅い深さで前記倒伏位置用係合凹部と前記起立位置用係合凹部とを接続して前記カムピンを前記倒伏位置用係合凹部と前記起立位置用係合凹部とに案内するカム溝が設けられ、
前記連結機構は、前記球体部、前記カムピン、前記膨出壁部、前記球状空間、前記倒伏位置用係合凹部、前記起立位置用係合凹部、前記カム溝を含んで構成されている
ことを特徴とする請求項１記載の画像表示装置。
【請求項６】
前記膨出壁部は、前記後面の箇所から起立する側面壁と、前記側面壁の後端を接続する後面壁とを有し、
前記球状空間は、前記後面壁から前記側面壁に向けて延在する欠部により前記膨出壁部の外側に開放状に形成され、
前記起立位置において、前記欠部の縁が前記ロッドに係止し前記筐体の倒れを阻止する
ことを特徴とする請求項５記載の画像表示装置。
【発明の詳細な説明】
【技術分野】
【０００１】
本発明は画像表示装置に関する。
【背景技術】
【０００２】
デジタルスチルカメラによってメモリカードなどの記録媒体に記録した画像データを手軽に鑑賞する装置として画像表示装置が提供されている。
このような画像表示装置の具体的な構成として、長方形板状の筐体の前面に画像が表示される表示面と、メモリカードなどから読み出した画像を表示面に表示させる画像表示部とを備えるものが提案されている（特許文献１参照）。
この画像表示装置を用いて画像を鑑賞するにあたっては、筐体の後面にスタンドとなる脚部の基端をねじなどを用いて取り付け、筐体の一辺と脚部の先端とを載置面に載置することで表示面を載置面に対して起立させている。
【特許文献１】特開２０００−１４８４４０
【発明の開示】
【発明が解決しようとする課題】
【０００３】
しかしながら上述した従来の画像表示装置では、脚部を後面に取り付ける構造であることから、非使用時において収納する際に、脚部を取り付けた状態では脚部が後面から突出しているため収納性に欠ける不利がある。また、脚部を取り外して収納することはできるものの、ドライバなどの工具を用いてねじを外さなければならず、使い勝手が悪いものであった。
本発明はこのような事情に鑑みなされたものであり、その目的は使い勝手に優れる画像表示装置を提供することにある。
【課題を解決するための手段】
【０００４】
上述の目的を達成するため、本発明は、扁平な長方形板状をした筐体の厚さ方向の一方の面である前面に設けられた表示面と、前記筐体の厚さ方向の他方の面である後面に該後面よりも小さい輪郭で突出され、その側面に記録媒体が装脱される記録媒体用コネクタが設けられた収容部と、前記記録媒体に記録された画像データを読み出し、前記表示面に表示するように制御する表示制御部と、前記筐体の前記後面に設けられ、直線状に延在するロッドからなるスタンドと、前記ロッドと前記筐体の前記後面の箇所とを連結し、かつ、前記ロッドが前記後面上に倒伏する倒伏位置と、前記ロッドが前記後面から起立する起立位置との間で前記ロッドを揺動可能に支持する連結機構とを備え、前記ロッドは前記記録媒体用コネクタが設けられた前記側面とは異なる前記収容部の側面に近接した位置に設けられ、かつ、前記倒伏位置における前記ロッドは、前記収容部の後面よりも前方に位置することを特徴とする。
【発明の効果】
【０００５】
本発明によれば、ドライバなどの工具を用いることなく、ロッドを倒伏位置と起立位置との双方に簡単に変更することができ、画像表示装置の使い勝手を高める上で有利となる。
また、起立位置としたロッドの先端を筐体の辺と共に載置面に載置することで、筐体の第１の姿勢と第２の姿勢を形成することができ、これにより画像の鑑賞形態の自由度を高めることができ、画像表示装置の実用的価値を高める上で有利となる。
また、スタンドをロッドで構成したので、スタンドの見栄えもよく、画像表示装置の外観性を高める上で有利となる。
【発明を実施するための最良の形態】
【０００６】
次に、本発明の実施の形態について図面を参照して説明する。
図１、図２に示すように、画像表示装置１０は、筐体４０と、表示面４２と、スタンドＳと、画像表示部４４などを含んで構成されている。
まず、画像表示装置１０の制御系について説明すると、図８に示すように、画像表示装置１０は、内蔵メモリ１２、記録媒体用コネクタ１４、外部入力コネクタ１６、インターフェース１８、２０、２２、ディスプレイドライバ２４、ディスプレイ２６、操作部２８、姿勢センサ３０、制御部３４などを含んで構成されている。
内蔵メモリ１２は、フラッシュＥＥＰＲＯＭなどの書き換え可能な記録媒体で構成され、制御部３４によりインターフェース１８を介して画像データの書き込み、読み出しがなされる。
記録媒体用コネクタ１４は、メモリカードなどの可搬性を有する記録媒体３２が装脱されるものである。
記録媒体３２は、記録媒体用コネクタ１４に装着されることで、制御部３４によりインターフェース２０を介して画像データの書き込み、読み出しがなされる。
【０００７】
外部インターフェースコネクタ１６は、パーソナルコンピュータやデジタルスチルカメラなどの外部電子機器に接続されることで、画像データの授受を行うものであり、本実施の形態では図６に示すように複数設けられている。
外部インターフェースコネクタ１６に接続された外部電子機器は、インターフェース２２を介して制御部３４との間で所定のインターフェース規格に基づいて画像データの授受を行う。このような所定のインターフェース規格を行う外部インターフェースコネクタ１６としてはＵＳＢコネクタ、ＨＤＭＩコネクタなど従来公知のさまざまなコネクタが採用可能である。
ディスプレイドライバ２４は、制御部３４の制御に基づいてディスプレイ２６を駆動することで、ディスプレイ２６に画像を表示させるものである。
ディスプレイ２６は、表示面４２を構成するものであり、画像データに基づいた画像を表示させる。ディスプレイ２６としては、液晶表示パネル、有機ＥＬ表示パネルなど従来公知のさまざまなディスプレイが採用可能である。
操作部２８は、種々の操作を行うための複数のスイッチを含んで構成され、このようなスイッチとして、図３に示すように、電源スイッチ２８Ａ、ディスプレイ２６の表示面の明るさを調整する輝度調整スイッチ２８Ｂ、画像表示モードの切り替えスイッチ２８Ｃなどが設けられている。
操作部２８は、操作されることで制御部３４に操作信号を供給し、制御部３４は操作信号に応じた制御動作を行う。
姿勢センサ３０は、重力の方向を検出するものである。
制御部３４は、ＣＰＵに対してインターフェース回路、ＲＡＭやＲＯＭなどがバスを介して接続されることで構成されたマイクロコンピュータからなり、ＣＰＵが前記ＲＯＭに格納された制御プログラムを実行することにより、上述した内蔵メモリ１２、記録媒体３２、外部電子機器、ディスプレイ２６などの制御を行うものである。
また、制御部３４は、姿勢センサ３０の検出結果に基づいてディスプレイ２６に表示する画像の上下方向を決定するものである。
制御部３４は、内蔵メモリ１２、記録媒体用コネクタ１４に装着された記録媒体３２から読み出した画像データに基づいてディスプレイドライバ２４を制御することによりディスプレイ２６に画像を表示し、あるいは、外部インターフェースコネクタ１６を介して外部電子機器から供給された画像データに基づいてディスプレイドライバ２４を制御することによりディスプレイ２６に画像を表示するものである。
本実施の形態では、ディスプレイドライバ２４、制御部３４によって画像表示部４４が構成されている。
【０００８】
次に本発明の要部について説明する。
図１は画像表示装置１０を前方から見た斜視図、図２、図３は画像表示装置１０を後方から見た斜視図、図４は画像表示装置１０の正面図、図５（Ａ）は図４のＡ矢視図、（Ｂ）は図１のＢ矢視図、図６（Ａ）は図４のＣ矢視図、（Ｂ）は図４のＤ矢視図、図７は画像表示装置１０の後面図である。
【０００９】
図１、図２に示すように、筐体４０は、扁平な長方形板状を呈している。
表示面４２は、筐体４０の厚さ方向の一方の面である前面４００２に設けられている。
スタンドＳは、筐体４０の厚さ方向の他方の面である後面４００４に設けられている。
図２、図７に示すように、後面４００４に、後面４００４よりも小さい輪郭の正方形板状に収容部４６が突出され、画像表示部４４はこの収容部４６に収容されている。
収容部４６は、後面４００４から起立し筐体４０の２つの長辺および２つの短辺にそれぞれ平行しつつ延在する４つの側面４６０２と、それらの側面４６０２の後端を接続する後面４６０４とを有し、筐体４０の後面４００４と収容部４６の後面４６０４は平行している。
図３、図６に示すように、筐体４０の短辺に平行する収容部４６の側面４６０２に、複数の記録媒体用コネクタ１４、複数の外部インターフェースコネクタ１６、電源ケーブル接続用コネクタ１７が設けられている。
【００１０】
図３に示すように、スタンドＳは一本のロッド４８で構成されている。
そして、筐体４０の後面４００４とロッド４８とを連結する連結機構５０が設けられている。
連結機構５０は、ロッド４８と後面４００４の箇所とを連結し、かつ、ロッド４８が後面４００４上に倒伏する倒伏位置（図２）と、ロッド４８が後面４００４から起立する起立位置（図３）との間でロッド４８を揺動可能に支持し、さらに、ロッド４８をそれら倒伏位置と起立位置に係止保持するものである。
図６（Ｃ），図７に示すように、倒伏位置でロッド４８は、収容部４６の後面４６０４よりも前方に位置した箇所で、筐体４０の長辺に平行する収容部４６の側面４６０２に平行しつつ近接して延在し、筐体４０の後面４００４の後方から見て後面４００４の輪郭内に位置している。
また、図９（Ａ），（Ｂ）に示すように、ロッド４８を起立位置に位置させ、筐体４０の２つの長辺のうちの１つの長辺とロッド４８の先端とを載置面２に載置することで筐体４０が載置面２に対して第１の角度をなして起立した第１の姿勢が形成される。
また、図１０（Ａ）、（Ｂ）に示すように、ロッド４８を起立位置に位置させ、筐体４０の２つの短辺のうちの１つの短辺とロッド４８の先端とを載置面２に載置することで筐体４０が載置面２に対して第２の角度をなして起立した第２の姿勢が形成される。
本実施の形態では、第１の角度と第２の角度とは同一の角度である。
【００１１】
図１１はスタンドＳの分解斜視図、図１２はスタンドＳの断面図、図１３は筐体４０の後面４００４からロッド４８を取り外した状態を示す説明図、図１４、図１５は球状空間形成用部材８２の斜視図、図１６は球状空間形成用部材８２の平面図、図１７は図１６のＡ矢視図、図１８は図１６のＢＢ線断面図、図１９は図１６のＣＣ線断面図である。
図１２に示すように、ロッド４８は、その延在方向の一端である基端に球状の球体部５２が設けられている。
また、ロッド４８と離れた球体部５２の箇所に、ロッド４８の軸心の延長上で出没可能で常時突出する方向に付勢されたカムピン５４が設けられている。
詳細に説明すると、図１１に示すように、ロッド４８は、２つの半円筒状の内側分割筒体５６と、円筒状の外側筒体５８と、ロッド４８の先端を構成するキャップ６０などを含んでいる。
球体部５２は筒状軸６２の端部に設けられており、カムピン５４は球体部５２の中心孔および筒状軸６２の内部に軸方向に移動可能に挿入されている。
筒状軸６２は２つの内側分割筒体５６の先端で挟持され固定されている。
そして、長さ方向の中間部にＥリング６４が装着された軸６６が２つの内側分割筒体５６の内部に軸方向に移動可能に挿入され、軸６６に巻装されたコイルスプリング６８がＥリング６４と内側分割筒体５６の壁部５６０２に係止することで軸６６を球体部５２側に付勢しており、軸６６の先端はカムピン５４の基端に当接しており、これによりカムピン５４は常時突出する方向に付勢されている。
このように球体部５２、筒状軸６２、軸６６、コイルスプリング６８が組み付けられた２つの内側分割筒体５６は外側筒体５８の内部に挿入される。
外側筒体５８は金属製であり、外側筒体５８の端部にキャップ６０が取着され、キャップ６０はゴムもしくはエラストマーなどのような摩擦係数の大きい部材で構成されている。
したがって、ロッド４８の基端に球体部５２が位置し先端にキャップ６０が位置している。
【００１２】
図１２に示すように、筐体４０の後面４００４に、後面４００４から後方に膨出しその内部に球体部５２が抜落不能に係合される球状空間７０を有する膨出壁部７２が設けられている。
膨出壁部７２は、後面４００４から起立する側面壁７２０２と、側面壁７２０２の後端を接続する後面壁７２０４とを有している。
球状空間７０を形成する壁面に、倒伏位置でカムピン５４が係合する倒伏位置用係合凹部７４と、起立位置でカムピン５４が係合する起立位置用係合凹部７６とが設けられている。
さらに、図１６に示すように、球状空間７０を形成する壁面に、それら倒伏位置用係合凹部７４、起立位置用係合凹部７６よりも浅い深さで形成され倒伏位置用係合凹部７４と起立位置用係合凹部７６とを接続してカムピン５４を倒伏位置用係合凹部７４と起立位置用係合凹部７６とに案内するカム溝７８が設けられている。
カム溝７８はＬ字状に延在し、倒伏位置用係合凹部７４と起立位置用係合凹部７６はカム溝７８の延在方向の両端に位置している。
より詳細に説明すると、カム溝７８は、第１の溝部７８０２と、第１の溝部７８０２の延在方向の一端に接続され、一端から第１の溝部７８０２の延在方向に対して鋭角をもって交差する方向に第１の溝部７８０２の延在長さよりも短い長さで延在する第２の溝部７８０４とを有するＬ字状に形成されている。
倒伏位置用係合凹部７４は、第１の溝部７８０２の延在方向の他端に設けられ、起立位置用係合凹部７６は、第２の溝部７８０４の第１の溝部７８０２の一端から離れた側の端部に設けられている。
さらに、球状空間７０は、図１２に示すように、後面壁７２０４から側面壁７２０２に向けて延在する欠部８０により膨出壁部７２の外側に開放状に形成され、図２２に示すように、起立位置において、欠部８０の縁がロッド４８（筒状軸６２）に係止し筐体４０の倒れを阻止する。
本実施の形態では、膨出壁部７２は、図１２、図１３に示すように、筐体４０の後面４００４に一体に設けられた壁部４０１０と、筐体４０の後面４００４に筐体４０の前方から取着された球状空間形成用部材８２とで構成されている。
【００１３】
球状空間形成用部材８２は、図１４乃至図１９に示すように、後面４００４に取着される取り付け板部８２０２と、取り付け板部８２０２に設けられた膨出部８２０４とを有している。
膨出部８２０４に、球状空間７０のほぼ前半部を構成する凹部８２０６が設けられており、倒伏位置用係合凹部７４と起立位置用係合凹部７６とカム溝７８は凹部８２０６の壁面に設けられている。
なお、図２２に示すように、壁部４０１０に、球状空間７０のほぼ後半部を構成する凹部４０１１が設けられ、欠部８０は、この凹部４０１１を構成する壁部４０１０の箇所に設けられている。
ロッド４８の後面４００４への組み付けは、後面４００４の前方から球体部５２を、壁面４０１０の凹部４０１１に挿入し、球体部５２が凹部８２０６に収容されるように球状空間形成用部材８２の取り付け板部８２０２をねじで後面４００４に取着することで行われ、これにより球体部５２は球状空間７０の球状の球面によりその球面に沿って移動可能に支持される。
また、球体部５２が後面４００４に組みつけられたならば、筒状軸６２に、軸６６、コイルスプリング６８が組み込まれた２つの内側分割筒体５６を組み付け、その外側に、キャップ６０が取着された外側筒体５８を組み付け、これによりロッド４８の後面４００４への組み付けがなされる。
本実施の形態では、連結機構５０は、球体部５２、カムピン５４、膨出壁部７２、球状空間７０、倒伏位置用係合凹部７４、起立位置用係合凹部７６、カム溝７８を含んで構成されている。
【００１４】
次にスタンドＳの使用方法について説明する。
予め、図２０に示すように、ロッド４８が倒伏位置に位置しているものとする。
この状態で、ロッド４８を後面４００４から離間する方向に動かすと、ロッド４８の揺動に伴いカムピン５４の倒伏位置用係合凹部７４に対する係合が解除される。
さらに、ロッド４８を起立方向に動かすと、図２１に示すように、ロッド４８の揺動に伴いカムピン５４はカム溝７８に案内されつつ倒伏位置用係合凹部７４から離れる方向に移動する。
この際、カムピン５４がＬ字状のカム溝７８の屈曲部に至ると、ロッド４８の揺動方向が変更され、カムピン５４はカム溝７８内を起立位置用係合凹部７６に向かって移動する。
そして、カムピン５４が起立位置用係合凹部７６に係合してロッド４８は起立位置となり、ロッド４８の起立位置は、カムピン５４が起立位置用係合凹部７６に係合していることで係止保持される。
本実施の形態では、カム溝７８は、第１の溝部７８０２と、第１の溝部７８０２に対して鋭角をもって交差する第２の溝部７８０４とでＬ字状に形成され、起立位置用係合凹部７６が第２の溝部７８０４の端部に設けられているので、図１６に示すように、筐体１２の長辺方向をＸ方向、短辺方向をＹ方向とした場合、ロッド４８の起立位置で、ロッド４８は第１の溝部７８０２と第２の溝部７８０４との交差部に対して距離Ｙ１、短辺Ｙ方向においてオーバーハングしており、また、距離Ｘ１、長辺Ｘ方向においてオーバーハングしており、したがって、カムピン５４に該カムピン５４が起立位置用係合凹部７６から外れる向きの力が作用したとしても、ロッド４８の起立位置を保持する上で有利となっている。
したがって、起立位置としたロッド４８の先端を、筐体１２の長辺または短辺と共に載置面２に載置した状態において、筐体１２の第１の姿勢および第２の姿勢を保持する上で有利である。
【００１５】
このようにロッド４８を起立位置に位置させ、図３、図９（Ａ），（Ｂ）に示すように、筐体４０の２つの長辺のうちの１つの長辺とロッド４８の先端（キャップ６０）とを載置面２に載置することで、筐体４０が載置面２に対して第１の角度をなして起立した第１の姿勢が形成される。
また、図１０（Ａ）、（Ｂ）に示すように、ロッド４８を起立位置に位置させ、筐体４０の２つの短辺のうちの１つの短辺とロッド４８の先端（キャップ６０）とを載置面２に載置することで、筐体４０が載置面２に対して第２の角度（本実施の形態では、第１の角度と第２の角度とは同一）をなして起立した第２の姿勢が形成される。
そして、それら起立位置において、図２２に示すように、欠部８０の縁がロッド４８に係止し筐体４０の倒れを阻止する。これにより、筐体４０の第１、第２の姿勢時に、カムピン５４や起立位置用係合凹部７６に作用する負荷が軽減され、カムピン５４や起立位置用係合凹部７６などの耐久性を高める上で有利となる。
なお、ロッド４８を起立位置から倒伏位置に戻して収納する場合には、カムピン５４をカム溝７８に沿わせつつロッド４８を揺動させ倒伏させればよく、ロッド４８の倒伏位置でカムピン５４が倒伏位置用係合凹部７４に係合し、ロッド４８の倒伏位置が係止保持される。
【００１６】
次に、紐４を用いて画像表示装置１０を壁などに掛ける場合について説明する。
図２３、図２４に示すように、収容部４６の四隅に紐挿通孔４７が形成されており、紐４をそれら紐挿通孔４７の２箇所に通し、紐４の中央部を、例えば、壁に取着されたフックに掛止する。
この場合、ロッド４８は倒伏位置に位置し、ロッド４８は、収容部４６の後面４６０４よりも前方に位置した箇所で、筐体４０の長辺に平行する収容部４６の側面４６０２に平行しつつ近接して延在しているので、ロッド４８が壁などに当たる不具合は無く、画像表示装置１０を所望の角度で壁などに掛けることが可能となる。
また、画像表示装置１０を壁に掛けた状態で、ロッド４８は、筐体４０の後面４００４の後方から見て後面４００４の輪郭内に位置しているので、ロッド４８の一部が画像表示装置１０の外側に露出し見栄えを損ねるなどの不具合も無く、壁に掛けた状態の画像表示装置１０の外観性を高める上で有利となる。
【００１７】
本実施の形態によれば、ドライバなどの工具を用いることなく、ロッド４８を倒伏位置と起立位置との双方に簡単に変更することができ、画像表示装置１０の使い勝手を高める上で有利となる。
また、起立位置としたロッド４８の先端を筐体４０の辺と共に載置面に載置することで、上述のように筐体４０の第１の姿勢と第２の姿勢を形成することができ、これにより画像の鑑賞形態の自由度を高めることができ、画像表示装置１０の実用的価値を高める上で有利となる。
また、スタンドＳをロッド４８で構成したので、スタンドＳの見栄えもよく、画像表示装置１０の外観性を高める上で有利となる。
【図面の簡単な説明】
【００１８】
【図１】画像表示装置１０を前方から見た斜視図である。
【図２】画像表示装置１０を後方から見た斜視図である。
【図３】画像表示装置１０を後方から見た斜視図である。
【図４】画像表示装置１０の正面図である。
【図５】（Ａ）は図４のＡ矢視図、（Ｂ）は図１のＢ矢視図である。
【図６】（Ａ）は図４のＣ矢視図、（Ｂ）は図４のＤ矢視図である。
【図７】画像表示装置１０の後面図である。
【図８】画像表示装置１０の制御系の構成を示すブロック図である。
【図９】（Ａ），（Ｂ）は筐体４０の第１の姿勢を示す説明図である。
【図１０】（Ａ），（Ｂ）は筐体４０の第２の姿勢を示す説明図である。
【図１１】スタンドＳの分解斜視図である。
【図１２】スタンドＳの断面図である。
【図１３】筐体４０の後面４００４からロッド４８を取り外した状態を示す説明図である。
【図１４】球状空間形成用部材８２の斜視図である。
【図１５】球状空間形成用部材８２の斜視図である。
【図１６】球状空間形成用部材８２の平面図である。
【図１７】図１６のＡ矢視図である。
【図１８】図１６のＢＢ線断面図である。
【図１９】図１６のＣＣ線断面図である。
【図２０】ロッド４８の倒伏状態を示す説明図である。
【図２１】ロッド４８の移動状態を示す説明図である。
【図２２】ロッド４８の起立状態を示す説明図である。
【図２３】紐を用いた使用状態を示す説明図である。
【図２４】紐挿通孔の説明図である。
【符号の説明】
【００１９】
２……載置面、１０……画像表示装置、１４……記録媒体用コネクタ、３２……記録媒体、４０……筐体、４００２……前面、４００４……後面、４２……表示面、４４……画像表示部、４６……収容部、４６０２……側面、４８……ロッド、５０……連結機構、Ｓ……スタンド
【図１】
0004798462.tif 000002
【図２】
0004798462.tif 000003
【図３】
0004798462.tif 000004
【図４】
0004798462.tif 000005
【図５】
0004798462.tif 000006
【図６】
0004798462.tif 000007
【図７】
0004798462.tif 000008
【図８】
0004798462.tif 000009
【図９】
0004798462.tif 000010
【図１０】
0004798462.tif 000011
【図１１】
0004798462.tif 000012
【図１２】
0004798462.tif 000013
【図１３】
0004798462.tif 000014
【図１４】
0004798462.tif 000015
【図１５】
0004798462.tif 000016
【図１６】
0004798462.tif 000017
【図１７】
0004798462.tif 000018
【図１８】
0004798462.tif 000019
【図１９】
0004798462.tif 000020
【図２０】
0004798462.tif 000021
【図２１】
0004798462.tif 000022
【図２２】
0004798462.tif 000023
【図２３】
0004798462.tif 000024
【図２４】
0004798462.tif 000025